(57)【要約】【課題】温度差による膨張・縮小の影響を受けず、破損や欠損のリスクのないゴルフパター用ヘッドを提供する。【解決手段】御影石からなるヘッド用種材を、所望とするパターヘッドの型材に基づいて切削・研磨することで一体成型のパターヘッドとなし、更に、該パターヘッドヘッド本体１のフェイス面３の周縁部を一定の幅で切削・研磨して切欠部４を形成し、該切欠部４にラバーやエストラマー等の弾性素材からなる枠材５を、フェイス面３と面一状となるよう嵌装する。【選択図】図５
0003128328.tif 000002
【実用新案登録請求の範囲】
【請求項１】
御影石からなるヘッド用種材を、所望とするパターヘッドの型材に基づいて切削・研磨することで一体成型のパターヘッドとなし、得られたパターヘッドのフェイス面の周縁部を一定の幅で切削・研磨して切欠部を形成し、該切欠部にラバーやエストラマー等の弾性素材からなる枠材をフェイス面と面一状となるよう嵌装してなることを特徴とするゴルフパター用ヘッド。
【考案の詳細な説明】
【技術分野】
【０００１】
本考案は、パッティングに適したゴルフパター用ヘッドに関するものである。
【背景技術】
【０００２】
ゴルフパター用ヘッドは従来、ステンレス・スチール製のものが多く採用されていたが、ソフトな打感が得られないため、現在では銅や錫との合金、アルミ、軟鉄などが好んで採用されるようになった。近年では、エストラマーなどの弾性素材を内部にインサートしたタイプなども開発されている。
【０００３】
また、引用文献１の公報に示すように、石材を用いたゴルフ用パターヘッドも一部で開発されているが、フェイス部に凹溝を形成し、そこに金属製のバランスウエイトを嵌装する構造であり、完全な一体成型ではないため、温度差による金属製バランスウエイトの膨張により、年間を通じて安定したパッティングを行うことが出来ないとの問題点があった。
【０００４】
また、引用文献１の公報に示されるパターヘッドは、軟質のフェイス板を貼着してあるとはいえ、その外周部は凹溝の形成により薄くなっているため、度重なるパッティングにより縁部が破損・欠損するといった問題点があった。
【特許文献１】実用新案登録第３０７０６３９号公報
【考案の開示】
【考案が解決しようとする課題】
【０００５】
本考案が解決しようとする問題点は、従来のパターに見られる温度差による影響を受けやすいという点と、石製パターにあっては破損や欠損を発生しやすいという点である。
【課題を解決するための手段】
【０００６】
本考案は、如上の問題点を解決するため、御影石からなるヘッド用種材を、所望とするパターヘッドの型材に基づいて切削・研磨することで一体成型のパターヘッドとなし、得られたパターヘッドのフェイス面の周縁部を一定の幅で切削・研磨して切欠部を形成し、該切欠部にラバーやエストラマー等の弾性素材からなる枠材をフェイス面と面一状となるよう嵌装してなるゴルフパター用ヘッドを採用した。
【０００７】
一般的な金属素材が温度差により膨張・縮小することは知られているが、石材とりわけ御影石は膨張係数が非常に低いため、気候による温度差の影響を受けにくく、それがため、年間を通じて安定したパッティングが可能である。
【０００８】
また、石材を外部に露出させた製品として利用する場合、吸水率も重要なポイントとなる。吸水率の高い石材を外部に露出する製品に利用すると、雨天の日や湿度の高いときに、石材の空隙に水分が入り込み、変色や寒割れを引き起こす原因となる。すなわち、石材の吸水率は石材の細孔率によって定まり、外部に露出するような製品とする場合は、細孔率の低い石材を用いることが需要である。
【０００９】
この点、御影石は厚さ３０ミリの板で給水率が０．４％を超えるものが殆どなく、外部への利用に適している。そのため、また、細孔率が低いということは、結合が緻密であり、且つ、硬いということを意味する。
【００１０】
そのため、本考案はゴルフパター用のヘッドに御影石を採用したことで、外部の気温や湿度の影響を殆ど受けることなく、年間を通じて安定的にパッティングを行うことができるといったメリットがある。
【００１１】
加えて、御影石は硬度が高いとはいえ、一般的な金属より劣ることは明らかであるから、長期にわたるパッティングにより、縁部が破損・欠損することがある。そのため、本考案ではフェイスの周縁部にラバーやエストラマーなどの弾性素材からなる枠材を嵌装し、この問題点を解決している。
【考案の効果】
【００１２】
本考案に係るゴルフパター用ヘッドは、ヘッド本体に吸水率（細孔率）の低い御影石を採用したため、長期の使用によっても天候や湿度の影響を殆ど受けず、変色や寒割れの虞が少ない。
【００１３】
また、御影石は膨張係数が低く、しかも、適度な硬度を有するため、これを採用した本考案のゴルフパター用ヘッドは、年間を通じて安定的なパッティングが可能であり、破損や欠損のリスクも少ない。
【００１４】
しかも、本考案に係るパターゴルフ用ヘッドでは、フェイスの周縁部にラバーやエストラマーなどの弾性素材からなる枠材を嵌め込んだため、破損や欠損のリスクが一層低められており、長期にわたる使用にも耐えられる。
【００１５】
加えて、御影石は適度の硬度を有するため、これを一体成型した本考案のゴルフパター用ヘッドは、パッティングした際の打感や打球音が非常に好ましい。加えて、御影石は研磨により美しい模様が現出し、２つとして同じ模様のものは存在しないので、所有する喜びも満たすことができる。
【考案を実施するための最良の形態】
【００１６】
本考案に係るゴルフパター用ヘッドは、温度差による影響を受けずに安定的なパッティングを行ない、且つ、破損や欠損のリスクを回避するという目的を、ヘッド形状に如何に拘らず実現した。
【実施例】
【００１７】
以下、本考案に係るゴルフパター用ヘッドの実施例を説明する。図１は本考案のゴルフパター用ヘッドの１実施例の斜視図、図２はその平面図、図３はその正面図、図４はその左側面図、図５はヘッド本体に枠材を嵌装する状態を示す斜視図である。
【００１８】
ゴルフパターには大きく、ブレードタイプ、ピンタイプ、マレットタイプの３種類があり、図１乃至図４に示したものはいずれも、カマボコ状を呈したマレットタイプといわれるものであるが、本考案に係るゴルフパター用ヘッドは型材さえあれば、如何なるタイプとすることも可能である。
【００１９】
本考案に係るゴルフパター用ヘッドは、先ず、御影石をカットしてゴルフパター用ヘッドとして加工可能なサイズの種材を得る。種材が得られたら、所望とするゴルフパターの型材を準備し、その輪郭・形状を倣いながら前記種材を切削・研磨していく。
【００２０】
種材の切削・研磨は如何なる方法でも構わないが、三次元加工が可能な石材研磨機が普及しているので、一般的にはこれを用いて行う。図示した実施例はカマボコ状のマレットタイプであり、従って、その切削・研磨にはこれと全く同一の輪郭・形状を有する型材を用いることになる。
【００２１】
最近のゴルフパターは、低重心化且つ深重心化を図るため、フェイス裏を中空にしたり、底部にチタン素材のウエイトを配するなど、様々の工夫を凝らされているが、そのためにヘッドを複数の部材に分割したものが多くなっている。
【００２２】
その結果、出来上がったゴルフパターは膨張係数の異なる複数の部材によって構成されることになり、それがため、各部材の各々が温度差により個別に膨張・縮小を繰り返すため、理論上優れたゴルフパターも、現実の使用の場面では思ったような効果が得られていないのが実情である。
【００２３】
本考案に係るゴルフパター用ヘッドはこの点、そもそも膨張係数の低い御影石を採用し、且つ、一体成型に切削・研磨した構成であるため、温度差により各部材毎に膨張・縮小を繰り返すということがなく、常に安定した効果を得ることができる。
【００２４】
型材に基づいて種材を切削・研磨することでヘッド本体１が得られたら、続いて、シャフトを取り付けるためのシャフト取付溝２を切削によって設ける。シャフト取付溝２については、ゴルフパターのタイプや希望に応じて自由に決めることができるため、その形状や部位は図示したものに限定されない。
【００２５】
シャフトの取付溝２を設けたら、次いで、フェイス面３の周縁部を一定の幅で切削・研磨して切欠部４を形成する。切欠部４を形成した状態のヘッド本体１は、図２又は図４に示すように、周縁部からフェイス面３が突出した状態で表れる。また、これを正面からみた場合は、図３に示すように、ヘッド本体１の輪郭と、切欠部４が形成されたフェイス面３の輪郭とが、ほぼ並行する２本の線として表れる。
【００２６】
かくして、ヘッド本体１の切削・研磨の加工が完了したら、続いて、図５に示すように、フェイス面３の周縁部に形成した切欠部４に、該切欠部４と同一形状からなる枠材５を嵌装する。そのため、切欠部４に嵌装された枠材５は、フェイス面３と面一状を呈することになる。
【００２７】
枠材５はラバーやエストラマーなどの弾性素材からなるため、パッティングの際のゴルフボールとの衝撃を吸収し、また、フェイスの縁部が小石などに当たった際の衝撃を吸収するため、破損や欠損からフェイス面３を保護することができる。
【００２８】
このように、枠材５が嵌装された本考案のゴルフパターは、フェイス面３と面一状となっているため、パッティングに悪影響を及ぼすことがなく、優れた打感や打球音が損なわれることもない。
【産業上の利用可能性】
【００２９】
本考案に係るゴルフパター用ヘッドは、温度差や湿度の影響を受けることなく、また、破損や欠損のリスクもなく、ゴルフのパッティングに利用することができ、また、その装飾性・趣味性の高さから、贈答品としても利用することができる。
【図面の簡単な説明】
【００３０】
【図１】本考案のゴルフパター用ヘッドの１実施例の斜視図
【図２】本考案のゴルフパター用ヘッドの１実施例の平面図
【図３】本考案のゴルフパター用ヘッドの１実施例の正面図
【図４】本考案のゴルフパター用ヘッドの１実施例の左側面図
【図５】ヘッド本体に枠材を嵌装する状態を示す斜視図
【符号の説明】
【００３１】
１    ヘッド本体
２    シャフト取付溝
３    フェイス面
４    切欠部
５    枠材
【図１】
0003128328.tif 000003
【図２】
0003128328.tif 000004
【図３】
0003128328.tif 000005
【図４】
0003128328.tif 000006
【図５】
0003128328.tif 000007